(57)【要約】【課題】  温度均一性の高い連続昇華転写用加熱ローラとそれを用いた連続昇華転写機の提供【解決手段】連続昇華転写用加熱ローラは、全長にわたって発熱する複数本の全部発熱棒状ヒータと全長の一部の長さ領域のみを発熱部とした複数本の部分発熱棒状ヒータとを、ローラ筒の内周面側に当該ローラ筒の周方向に向けて、ローラ筒の外周面が均一に発熱されるように交互的に組合せて均等に配設したことを特徴とする。  又、全長の一部の異なる長さ領域を発熱部とした複数種類の部分発熱棒状ヒータを、複数本ずつ用いて、ローラ筒の内周面側に当該ローラ筒の周方向に向けて、ローラ筒の外周面が均一に発熱されるように交互的に組合せて均等に配設したことを特徴とする。【選択図】  図１
2020026053.tif 000002
【特許請求の範囲】
【請求項１】
全長にわたって発熱する複数本の全部発熱棒状ヒータと全長の一部の長さ領域のみを発熱部とした複数本の部分発熱棒状ヒータとを、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項２】
全長の一部の異なる長さ領域を発熱部とした複数種類の部分発熱棒状ヒータを、複数本ずつ用いて、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項３】
全長にわたって発熱する複数本の全部発熱棒状ヒータと、中央部を除く両側端部のみが発熱する複数本の両側端部発熱棒状ヒータとを、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項４】
全長にわたって発熱する複数本の全部発熱棒状ヒータと、両側端部のみが発熱する複数本の両側端部発熱棒状ヒータと、中央部と両側端部を除く両側中間部のみが発熱する複数本の両側中間部発熱棒状ヒータとを、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項５】
中央部のみ発熱する複数本の中央部発熱棒状ヒータと、中央部を除く両側端部のみが発熱する複数本の両側端部発熱棒状ヒータとを、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項６】
中央部のみが発熱する複数本の中央部発熱棒状ヒータと、両側端部のみが発熱する複数本の両側端部発熱棒状ヒータと、中央部と両側端部を除く両側中間部のみが発熱する複数本の両側中間部発熱棒状ヒータとを、ローラ筒の内周面側に当該ローラ筒の周方向に向けて、ローラ筒の外周面が均一に発熱されるように交互的に組合せて均等に配設したことを特徴とする連続昇華転写用加熱ローラ。
【請求項７】
両側端部発熱棒状ヒータと両側中間部発熱棒状ヒータの互いの発熱部は、棒状ヒータの長さ方向において互いに重ならない長さ領域に設けられたことを特徴とする請求項４の連続昇華転写用加熱ローラ。
【請求項８】
中央部発熱棒状ヒータと両側端部発熱棒状ヒータとの互いの発熱部は、棒状ヒータの長さ方向において互いに重ならない長さ領域に設けられたことを特徴とする請求項５の連続昇華転写用加熱ローラ。
【請求項９】
中央部発熱棒状ヒータと両側端部発熱棒状ヒータと両側中間部発熱棒状ヒータとの互いの発熱部は、棒状ヒータの長さ方向において互いに重ならない長さ領域に設けられたことを特徴とする請求項６の連続昇華転写用加熱ローラ。
【請求項１０】
請求項１乃至請求項９の何れかに記載の連続昇華転写用加熱ローラを用いたことを特徴とする連続昇華転写機。
【発明の詳細な説明】
【技術分野】
【０００１】
本発明は、連続回転式の昇華転写機の加熱ローラに関するものである。
【背景技術】
【０００２】
連続回転式の昇華転写機は、加熱ローラに巻き付けられた搬送ベルトによって、帯状の転写シートと帯状の被転写物とを重ね連続的に送りながら、前記加熱ローラに接して通過する際の加熱状態下で、転写シートの図柄を被転写物に連続的に転写する装置であり、この種の昇華転写機による転写の品質向上の重要な要素の一つとして、加熱ローラのローラ筒外周面の温度均一性の確保がある。
【０００３】
従来の加熱ローラは、そのローラ筒の内周面側に、全長にわたって発熱する複数本の棒状ヒータ(以下、全部発熱棒状ヒータともいいう)の長手方向を筒軸方向に向けた状態で、ローラ筒の周方向に当該ローラ筒外周面の温度が均一となるよう等間隔で均等に配設された構造であった。
しかしながら、長さ方向の全長にわたってその全部が発熱する全部発熱棒状ヒータをローラ筒の筒軸方向に配設した構造であるため、ローラ筒外周面の中央側が中央に近くなる程高温となり、相対的にローラ筒外周面の両端側が両端側に近くなる程温度が低温となってしまうという、温度の不均一性を解消できず、加熱ローラの外周面の温度均一性の確保に難点があった。
【０００４】
従来、この難点を克服する一つの手段として、ローラ筒の筒内にオイルを充填してこれを加熱し、ローラ筒外周面の温度均一性を確保しようとする手段が提案されている。
しかし、この手段では、オイルを所要温度に加熱する迄に長時間を要するため、即座に転写作業を開始することができないという作業効率の悪さがあり、劣化したオイルの交換も必要で、オイル交換の度に、劣化オイルの破棄という環境破壊に繋がる問題がある上、オイル充填により重量が増加し、ランニングコストも高くなってしまうという不都合があった。
【発明の概要】
【発明が解決しようとする課題】
【０００５】
本発明は、上記課題の解決を目的とすると共に、従来に較べてより温度均一性の高い連続昇華転写用加熱ローラとそれを用いた連続昇華転写機の提供を目的とする。
【課題を解決するための手段】
【０００６】
請求項１の連続昇華転写用加熱ローラの発明は、全長にわたって発熱する複数本の全部発熱棒状ヒータと全長の一部の長さ領域のみを発熱部とした複数本の部分発熱棒状ヒータとを、ローラ筒の内周面側に当該ローラ筒の周方向に向けて、ローラ筒の外周面が均一に発熱されるように交互的に組合せて均等に配設したことを特徴とする。
【０００７】
請求項２の連続昇華転写用加熱ローラの発明は、全長の一部の異なる長さ領域を発熱部とした複数種類の部分発熱棒状ヒータを、複数本ずつ用いて、ローラ筒の内周面側に当該ローラ筒の周方向に向けて、ローラ筒の外周面が均一に発熱されるように交互的に組合せて均等に配設したことを特徴とする。
【０００８】
請求項３の連続昇華転写用加熱ローラの発明は、全長にわたって発熱する複数本の全部発熱棒状ヒータと、中央部を除く両側端部のみが発熱する複数本の両側端部発熱棒状ヒータとを、ローラ筒の内周面側に当該ローラ筒の周方向に向けて、ローラ筒の外周面が均一に発熱されるように交互的に組合せて均等に配設したことを特徴とする。
【０００９】
請求項４の連続昇華転写用加熱ローラの発明は、全長にわたって発熱する複数本の全部発熱棒状ヒータと、両側端部のみが発熱する複数本の両側端部発熱棒状ヒータと、中央部と両側端部を除く両側中間部のみが発熱する複数本の両側中間部発熱棒状ヒータとを、ローラ筒の内周面側に当該ローラ筒の周方向に向けて、ローラ筒の外周面が均一に発熱されるように交互的に組合せて均等に配設したことを特徴とする。
【００１０】
請求項５の連続昇華転写用加熱ローラの発明は、中央部のみ発熱する複数本の中央部発熱棒状ヒータと、中央部を除く両側端部のみが発熱する複数本の両側端部発熱棒状ヒータとを、ローラ筒の内周面側に当該ローラ筒の周方向に向けて、ローラ筒の外周面が均一に発熱されるように交互的に組合せて均等に配設したことを特徴とする。
【００１１】
請求項６の連続昇華転写用加熱ローラ発明は、中央部のみが発熱する複数本の中央部発熱棒状ヒータと、両側端部のみが発熱する複数本の両側端部発熱棒状ヒータと、中央部と両側端部を除く両側中間部のみが発熱する複数本の両側中間部発熱棒状ヒータとを、ローラ筒の内周面側に当該ローラ筒の周方向に向けて、ローラ筒の外周面が均一に発熱されるように交互的に組合せて均等に配設したことを特徴とする。
【００１２】
請求項７の発明は、請求項４の連続昇華転写用加熱ローラの発明において、両側端部発熱棒状ヒータと両側中間部発熱棒状ヒータの互いの発熱部は、棒状ヒータの長さ方向において互いに重ならない長さ領域に設けられたことを特徴とする。
【００１３】
請求項８の発明は、請求項５の連続昇華転写用加熱ローラの発明において、中央部発熱棒状ヒータと両側端部発熱棒状ヒータとの互いの発熱部は、棒状ヒータの長さ方向において互いに重ならない長さ領域に設けられたことを特徴とする。
【００１４】
請求項９の発明は、請求項６の連続昇華転写用加熱ローラの発明において、中央部発熱棒状ヒータと両側端部発熱棒状ヒータと両側中間部発熱棒状ヒータとの互いの発熱部は、棒状ヒータの長さ方向において互いに重ならない長さ領域に設けられたことを特徴とする。
【００１５】
請求項１０の連続昇華転写機の発明は、請求項１乃至請求項９の何れかに記載の連続昇華転写用加熱ローラを用いたことを特徴とする。
【発明の効果】
【００１６】
請求項1乃至請求項１０の各発明によれば、何れも、従来の連続昇華転写用加熱ローラに較べて、加熱ローラのローラ筒外周面におけるローラ中央側とローラ両端側との温度均一性を比較的容易に実現させることができ、連続昇華転写機による転写の品質をより一層向上させることができる。
【００１７】
請求項1や請求項2の発明によれば、棒状ヒータの一部をはつ熱させる部分発熱棒状ヒータを多数用いるほど、一層微細な温度制御ができるので、連続昇華転写機による転写の品質を更により一層向上させることができる。
【００１８】
請求項３の発明によれば、全長にわたって発熱する複数本の全部発熱棒状ヒータに通電させる全部通電制御回路に加えて、両側端部発熱棒状ヒータに通電させる両端部通電制御回路を設けて、この両端部通電制御回路だけを加熱ローラの中央部側の温度に応じて通電制御するだけ、或いは又、この両端部通電制御回路と前記の全部通電制御回路との２回路を通電制御することによって、加熱ローラの両端部側の温度を前記中央部側の温度と同等温度に容易に制御することができる。
【００１９】
請求項４や請求項８の各発明によれば、何れも、全長にわたって発熱する複数本の全部発熱棒状ヒータに通電させる従来と同様の通電回路、即ち、本発明では全部通電制御回路に加えて、両側端部のみが発熱する複数本の両側端部発熱棒状ヒータに通電させる両端部通電制御回路と、中央部と両側端部を除く両側中間部のみが発熱する複数本の両側中間部発熱棒状ヒータに通電させる両側中間部通電回路とを設けて、これら３回路を通電制御することによって、前記請求項３の発明に較べて、加熱ローラの中央部側を除く両側の温度制御をより緻密に制御することができ、引いては、加熱ローラの両端部側の温度を前記中央部側の温度と同等温度により緻密に制御することができる。
【００２０】
請求項５や請求項７の各発明によれば、何れも、中央部のみ発熱する中央部発熱棒状ヒータに通電させる中央部通電回路と、中央部を除く両側端部のみが発熱する複数本の両側端部発熱棒状ヒータに通電させる両端部通電制御回路とを設けて、この２回路を通電制御することによって、加熱ローラの中央部と両端部側との温度の均一化を容易に制御することができる。
【００２１】
請求項６や請求項９の各発明によれば、何れも、中央部のみ発熱する複数本の中央部発熱棒状ヒータに通電させる中央部通電回路と、両側端部のみが発熱する複数本の両側端部発熱棒状ヒータに通電させる両端部通電制御回路と、中央部と両側端部を除く両側中間部のみが発熱する複数本の両側中間部発熱棒状ヒータに通電させる両側中間部通電回路とを設けて、これら３回路を通電制御することによって、前記請求項４乃至請求項７の各発明に較べて、何れも、加熱ローラの中央部側を除く両側の温度制御をより緻密に制御することができ、引いては、加熱ローラの両端部側の温度を前記中央部側の温度と同等温度により緻密に制御することができる。
【図面の簡単な説明】
【００２２】
【図１】図１は実施例１の加熱ローラの縦断面図である。
【図２】図２は実施例１の加熱ローラの横断面図である。
【図３】図３は実施例２の加熱ローラの縦断面図である。
【図４】図４は実施例２の加熱ローラの横断面図である。
【図５】図５は実施例３の加熱ローラの縦断面図である。
【図６】図６は実施例３の加熱ローラの横断面図である。
【図７】図７は実施例４の加熱ローラの縦断面図である。
【図８】図８は実施例４の加熱ローラの横断面図である。
【発明を実施するための最良の形態】
【００２３】
以下、本発明を実施するための最良の形態としての連続昇華転写用加熱ローラの実施例１乃至４を図1乃至図８に示した図面に基づいて説明する。
【実施例１】
【００２４】
図1及び図２において、実施例1の連続昇華転写用加熱ローラは、全長にわたって発熱する複数本の全部発熱棒状ヒータ１１と全長の一部の長さ領域のみを発熱部とした複数本の部分発熱棒状ヒータとしての両側端部発熱棒状ヒータ１２とを、加熱ローラ１のローラ筒２の内周面側に、ローラ筒２の周方向に向けて、ローラ筒２の外周面が均一に発熱されるように交互的に組合せて均等に配設したものである。
【００２５】
全長にわたって発熱する複数本の全部発熱棒状ヒータ１１は、従来からこの種の加熱ローラに用いられていた所謂棒状ヒータであるが、両側端部発熱棒状ヒータ１２は、本発明に基づくもので、従来の棒状ヒータの全長の一部の長さ領域のみを発熱部とした部分発熱棒状ヒータの一種であって、この実施例１に示す両側端部発熱棒状ヒータ１２は、棒状ヒータの中央部を除く両側端部のみが発熱する発熱部としたものである。以下、この発熱部を両端発熱部１２２という。
【００２６】
図２に示すように、この実施例１では、１２本の全部発熱棒状ヒータ１１と３本の両側端部発熱棒状ヒータ１２とを用いて、１２本の全部発熱棒状ヒータ１１の間に３本の両側端部発熱棒状ヒータ１２を均等に、即ち、４本の一連の全部発熱棒状ヒータ１１につき１本の両側端部発熱棒状ヒータ１２を組み入れて一群として、これを三群交互に組合せて、図示のようにローラ筒内周面側に均等に配設したものである。
【００２７】
ここで、「交互に組合せて均等に」とは、加熱ローラの外周面の温度均一性の確保に資する方向での各棒状ヒータの配設を意味する。
従って、各棒状ヒータの数や周方向での配置間隔は図示の実施例に限定されない。
尚、各棒状ヒータは図１に示すように加熱ローラ軸３に設けられ支持部材４で保持される。
【００２８】
この実施例１の加熱ローラ１によれば、全長にわたって発熱する複数本の全部発熱棒状ヒータ１１に通電させる従来と同様の通電回路、即ち、本発明でいう全部通電制御回路(図示せず)に加えて、中央部を除く両側端部のみが発熱する複数本の両側端部発熱棒状ヒータ１２に通電させる両端部通電制御回路(図示せず)を設けて、この両端部通電制御回路を加熱ローラ１のローラ筒２の中央部側の温度に応じて通電制御するだけで、或いは又、この両端部通電制御回路と前記の全部通電制御回路との２回路を通電制御することによって、加熱ローラ１の両端部側の温度を前記中央部側の温度と同等温度に容易に制御することができ、従来の連続昇華転写用加熱ローラに較べて、加熱ローラのローラ筒外周面におけるローラ中央側とローラ両端側との温度均一性を比較的容易に実現させることができ、連続昇華転写機による転写の品質をより一層向上させることができる。
【００２９】
尚、以下、実施例1の図面(図１及び図２)に示す符号と同一の、実施例２以下の図面(図３乃至図８)に示す符号の部材は同一であるので、その説明を省略する。
【実施例２】
【００３０】
図３及び図４において、実施例２の連続昇華転写用加熱ローラ２１は、全長にわたって発熱する複数本の全部発熱棒状ヒータ１１と、両側端部のみが発熱する複数本の両側端部発熱棒状ヒータ１３と、中央部と両側端部を除く両側中間部のみが発熱する複数本の両側中間部発熱棒状ヒータ１４とを、ローラ筒２の内周面側に、ローラ筒２の周方向に向けて、ローラ筒２の外周面が均一に発熱されるように交互的に組合せて均等に配設したものである。
【００３１】
全長にわたって発熱する複数本の全部発熱棒状ヒータ１１は、上記実施例1と同様に、従来からこの種の加熱ローラに用いられていた所謂棒状ヒータであるが、両側端部発熱棒状ヒータ１３と両側中間部発熱棒状ヒータ１４は、本発明に基づくもので、従来の棒状ヒータの全長の一部の長さ領域のみを発熱部とした部分発熱棒状ヒータの一種である。
【００３２】
この実施例２に示す部分発熱棒状ヒータの一種である両側端部発熱棒状ヒータ１３は、実質的には実施例１の両側端部発熱棒状ヒータ１２と同一であって、棒状ヒータの中央部を除く両側端部のみが発熱する発熱部としたものである。以下、この発熱部を両端発熱部１３３という。
又、同じく、部分発熱棒状ヒータの一種である両側中間部発熱棒状ヒータ１４は、棒状ヒータの中央部と前記両側端部発熱棒状ヒータ１２の発熱部１３３と重ならない長さ領域を発熱部としたものである。以下、この発熱部を両側中間部発熱部１４４という。
【００３３】
図４に示すように、この実施例２では、１２本の全部発熱棒状ヒータ１１と３本の両側端部発熱棒状ヒータ１３と３本の両側中間部発熱棒状ヒータ１４とを用いて、１２本の全部発熱棒状ヒータ１１の間に３本の両側端部発熱棒状ヒータ１３と３本の両側中間部発熱棒状ヒータ１４とを均等に、即ち、この例では、周方向に、順に、２本一連の全部発熱棒状ヒータ１１、１１と１本の両側端部発熱棒状ヒータ１３と２本一連の全部発熱棒状ヒータ１１、１１と１本の両側端部発熱棒状ヒータ１４とを１群として、これを周方向に３群組合せて、図示のように、ローラ筒内周面側にこれら３種類の棒状ヒータを均等に配設したもので、一連の２本の全部発熱棒状ヒータ１１、１１の間毎に、両端部発熱棒状ヒータ１３と両側中間部発熱棒状ヒータ１４とが、交互に１本ずつ組み込まれている。
【００３４】
この実施例２によれば、全長にわたって発熱する１２本の全部発熱棒状ヒータ１１に通電させる従来と同様の通電回路、即ち、本発明でいう全部通電制御回路(図示せず)に加えて、両端部のみが発熱する３本の両端部発熱棒状ヒータ１３に通電させる両端部通電制御回路(図示せず)と、中央部と両端部を除く両側中間部のみが発熱する３本の両側中間部発熱棒状ヒータ１４に通電させる両側中間部通電制御回路(図示せず)とを設けて、これ等３回路を通電制御することによって、実施例１の加熱ローラ１に較べて、中央側を除く両端部側温度制御をより緻密に制御することができ、加熱ローラ２１の両側端部側の温度を中央部側の温度と同等温度となるように、より一層緻密な制御を行うことができる。
【実施例３】
【００３５】
図５及び図６において、実施例３の連続昇華転写機用加熱ローラ３１は、中央部のみ発熱する複数本の中央部発熱棒状ヒータ１５と、中央部を除く両側端部のみが発熱する複数本の両側端部発熱棒状ヒータ１６とを、上記実施例1や実施例2と同様に、ローラ筒２の内周面側に、ローラ筒２の周方向に向けて、ローラ筒２の外周面が均一に発熱されるように交互的に組合せて均等に配設したものである。
【００３６】
図示の例では、従来の棒状ヒータの全長の一部の長さ領域のみを発熱部とした本発明に基づく部分発熱棒状ヒータとして、上記実施例１や実施例２の両側端部発熱棒状ヒータ１２、１３と実質的に同一の両側端部発熱棒状ヒータ１６と、中央部発熱棒状ヒータ１５とを用いている。
部分発熱棒状ヒータの一種である中央部発熱棒状ヒータ１５は、従来の棒状ヒータの両端部を除く中央部のみを発熱部としたものあり、この発熱部は、両側端部発熱棒状ヒータ１６の両端発熱部１６６と重ならない長さ領域を発熱部としたものである。以下、この発熱部を中央発熱部１５５という。
【００３７】
図６に示すように、この実施例３では、１２本の中央部発熱棒状ヒータ１５と６本の両側端部発熱棒状ヒータ１６とを用いて、３本一連の中央発熱棒状ヒータ１５の間に２本一連の両側端部発熱棒状ヒータ１６とを均等に、即ち、この例では、周方向に、順に、３本一連の中央発熱棒状ヒータ１５、１５、１５と２本一連の両側端部発熱棒状ヒータ１６、１６とを１群として、これを周方向に３群組合せて、図示のように、ローラ筒内周面側にこれら２種類の部分発熱棒状ヒータを交互的に均等に配設したものである。
【００３８】
この実施例３によれば、中央部のみが発熱する１２本の中央部発熱棒状ヒータ１５に通電させる中央部通電制御回路(図示せず)と両端部のみが発熱する６本の両端部発熱棒状ヒータ１６に通電させる両端部通電制御回路(図示せず)とを設けて、この２回路を通電制御することによって、従来の加熱ローラに較べて、中央側と両端部側温度制御をより、中央部と両端部側との温度の均一化を容易に制御することができる。
【００３９】
尚、この実施例３では、上記実施例１や実施例２と異なり、全長にわたって発熱する所謂全部発熱棒状ヒータ１１を用いていないが、必要に応じて、適宜組み入れて用いてもよい(図示せず)。
又、中央発熱部１５５と両端発熱部１６６とが、棒状ヒータの長さ方向において互いに重ならないように設けてあるが、これに限定されない。
【実施例４】
【００４０】
図７及び図８において、実施例３の連続昇華転写機用加熱ローラ４１は、
中央部のみが発熱する複数本の中央部発熱棒状ヒータ１７と、両側端部のみが発熱する複数本の両側端部発熱棒状ヒータ１８と、中央部と両側端部を除く両側中間部のみが発熱する複数本の両側中間部発熱棒状ヒータ１９とを、ローラ筒２の内周面側に当該ローラ筒２の周方向に向けて、ローラ筒２の外周面が均一に発熱されるように交互的に組合せて均等に配設したものである。
【００４１】
図示の例では、従来の棒状ヒータの全長の一部の長さ領域のみを発熱部とした本発明に基づく部分発熱棒状ヒータとして、上記実施例２の両側中間部発熱棒状ヒータ１４と実質的に同一の中央部発熱棒状ヒータ１７と、両側端部発熱棒状ヒータ１９とを用いている。
部分発熱棒状ヒータの一種である中央部発熱棒状ヒータ１７は、上記実施例３の中央部発熱棒状ヒータ１５と実質的に同一であって、従来の棒状ヒータの両端部を除く中央部のみを発熱部としたものあり、以下、この発熱部を中央発熱部１７７という。
【００４２】
又、同じく、部分発熱棒状ヒータの一種である両側中間部発熱棒状ヒータ１９は、棒状ヒータの中央部と前記両側端部発熱棒状ヒータ１８の発熱部１８８と重ならない長さ領域を発熱部としたものである。以下、この発熱部を両側中間部発熱部１９９という。
尚、これら３つの発熱部１７７、１８８、１９９は、この例では互いに棒状ヒータの長さ方向において互いに重ならない長さ領域に設けてあるが、これに限られない。
【００４３】
図８に示すように、この実施例４では、６本の中央部発熱棒状ヒータ１７と６本の中間部発熱棒状ヒータ１９と６本の両側端部発熱棒状ヒータ１８とを用い、周方向に、順に一本ずつ、中央発熱棒状ヒータ１７と中間部発熱棒状ヒータ１９と両側端部発熱棒状ヒータ１８とを１群として、これを周方向に６群組合せて、図示のように、ローラ筒内周面側にこれら３種類の部分発熱棒状ヒータを交互的に均等に配設したものである。
【００４４】
この実施例４によれば、中央部のみが発熱する６本の中央部発熱棒状ヒータ１７に通電させる中央部通電制御回路(図示せず)と、両端部のみが発熱する６本の両端部発熱棒状ヒータ１８に通電させる両端部通電制御回路(図示せず)と、中央部と両端部を除く両側中間部のみが発熱する６本の両側中間部発熱棒状ヒータ１９に通電させる両側中間部通電制御回路(図示せず)とを設けて、これ等３回路を通電制御することによって、実施例３の加熱ローラ３１に較べて、中央側を除く両端部側温度制御をより緻密に制御することができ、加熱ローラ４１の両側端部側の温度を中央部側の温度と同等温度となるように、より一層緻密な制御を行うことができる。
【００４５】
尚、この実施例４では、上記実施例１や実施例２と異なり、全長にわたって発熱する所謂全部発熱棒状ヒータ１１を用いていないが、必要に応じて、適宜組み入れて用いてもよい(図示せず)。
【産業上の利用可能性】
【００４６】
本発明は、昇華転写機に限らず、棒状ヒータを発熱源とする加熱ローラに広く適用することができる。
【符号の説明】
【００４７】
１        加熱ローラ(実施例１)
２        ローラ筒
３        加熱ローラ軸
４        支持部材
１１      全部発熱棒状ヒータ(実施例１、２)
１２      両端部発熱ヒータ(実施例１)
１３      両端部発熱ヒータ(実施例２)
１４      中間発熱棒状ヒータ(実施例２)
１５      中間発熱棒状ヒータ(実施例３)
１６      両端部発熱ヒータ(実施例３)
１７      中間発熱棒状ヒータ(実施例４)
１８      両端部発熱棒状ヒータ(実施例４)
１９      中間発熱棒状ヒータ(実施例４)
２１      加熱ローラ(実施例２)
３１      加熱ローラ(実施例３)
４１      加熱ローラ(実施例４)
【図１】
2020026053.tif 000003
【図２】
2020026053.tif 000004
【図３】
2020026053.tif 000005
【図４】
2020026053.tif 000006
【図５】
2020026053.tif 000007
【図６】
2020026053.tif 000008
【図７】
2020026053.tif 000009
【図８】
2020026053.tif 000010